(57)【要約】【課題】お湯を使用する場所や用途に拘らず、操作の手間のない操作盤を提供する。【解決手段】画面切替スイッチ１２を押すことにより、表示器７に表示されている工場出荷時の初期操作画面を、入浴中に使用頻度の高い入浴中操作画面に切り替えるようにする。具体例としては、おふろの量を多くするたっぷりスイッチ１３、おふろのお湯を熱くするふろあつくスイッチ１４、おふろのお湯をぬるくするぬるくスイッチ１５を表示させる。さらに、選択した画面を運転スイッチを切り入りしても保持させるようにして、次回以降の操作時には、運転スイッチを入れるとすぐに入浴中操作画面を表示させるようにする。【選択図】  図４
2004183971.tif 000002
【特許請求の範囲】
【請求項１】
給湯機単体または、給湯機と浴室機器を操作する単一の操作盤で、かつスイッチの操作画面として初期操作画面と複数の下位操作画面からなる階層式操作画面を有する操作盤において、前記初期操作画面を前記複数の下位操作画面から選択できる初期操作画面選択手段を備えたことを特徴とする操作盤。
【請求項２】
請求項１に記載の操作盤において、入浴検知手段を備え、前記入浴検知手段が入浴間近な状態または入浴中の状態であることを検知した場合、前記複数の下位操作画面の中から自動的に入浴中に操作頻度の高い操作画面を選択して表示させる自動切替手段を備えたことを特徴とする操作盤。
【請求項３】
請求項１または請求項２記載の操作盤において、運転スイッチを切り、再度入りの状態にした場合、運転スイッチを切る前に表示されていた操作画面を初期操作画面として表示させることを特徴とする操作盤。
【発明の詳細な説明】
【０００１】
【発明の属する技術分野】
本発明は、給湯機単体または、給湯機と浴室機器を操作する単一の操作盤で、かつスイッチの操作画面として初期操作画面と複数の下位操作画面からなる階層式操作画面を有する操作盤に関するものである。
【０００２】
【従来の技術】
従来、給湯機単体または、給湯機と浴室機器を操作する単一の操作盤は、操作スイッチ数が多いことによる誤操作、操作のわかりにくさを解消するため、スイッチの操作画面として初期操作画面と複数の下位操作画面からなる階層式操作画面を有する操作盤が採用されることが多い（例えば、特許文献１参照。）。
【０００３】
【特許文献１】
特開平９−３２２２２６９号公報（頁５−６、第９図）
【０００４】
【発明が解決しようとする課題】
しかしながら、運転スイッチを入れた直後に表示される初期操作画面は工場出荷時と同一の画面であり、一般的に初期操作画面はお湯の使用頻度の高い台所、洗面所等の水栓、浴室においてはシャワーの使用を想定したものとなっている。そのため、例えば、湯船に浸かっている際に操作頻度の高い操作画面が下位の操作画面にあることがあり、その操作画面を表示するまで何度かのスイッチ操作が必要となり、操作に手間がかかる場合がある。
本発明は、上記課題を解決するためになされたもので、本発明の目的は、お湯を使用する場所や用途に拘らず、操作の手間のない操作盤を提供することにある。
【０００５】
【課題を解決するための手段及びその作用・効果】
上記目的を達成するために請求項１は、給湯機単体または、給湯機と浴室機器を操作する単一の操作盤で、かつスイッチの操作画面として初期操作画面と複数の下位操作画面からなる階層式操作画面を有する操作盤において、前記初期操作画面を前記複数の下位操作画面から選択できる初期操作画面選択手段を備えたため、お湯を使用する場所や用途に応じて、使用者の使用頻度の高い操作画面を初期操作画面として表示させることが出来るので、操作の手間が解消される。
【０００６】
請求項２は、請求項１に記載の操作盤において、入浴検知手段を備え、前記入浴検知手段が入浴間近な状態または入浴中の状態であることを検知した場合、前記複数の下位操作画面の中から自動的に入浴中に操作頻度の高い操作画面を選択して表示させる自動切替手段を備えたため、使用者が入浴の度に入浴中に操作頻度の高い操作画面への変更操作を行う必要がなく、操作の手間が解消される。
【０００７】
請求項３は、請求項１または請求項２記載の操作盤において、運転スイッチを切り、再度入りの状態にした場合、運転スイッチを切る前に表示されていた操作画面を初期操作画面として表示させることとしたため、運転スイッチを切りにした場合でも再度初期操作画面を変更する手間が省ける。
【０００８】
【発明の実施の形態】
以下、本発明の実施の形態を、図面により詳細に説明する。
図１は、本発明の一実施形態に係わる操作盤と機器の全体構成図で、給湯機単独設置時の場合である。
給湯機１と、浴室６に設置され、給湯機１と浴室リモコンコード４で接続されている浴室リモコン２と、浴室６以外に設置され、給湯機１とメインリモコンコード５で接続されているメインリモコン３とで構成されている。
【０００９】
図２は、浴室リモコン２の工場出荷時の初期操作画面の１例である。
運転スイッチ８が入りの状態で、表示器７には設定変更画面が表示されている。具体例としては、台所の水栓や浴室のシャワーから吐水されるお湯の温度を変更する給湯温度変更スイッチ９と、浴槽内のお湯の温度を変更するふろ温度変更スイッチ１０と、浴槽内のお湯の水位を変更するふろ水位変更スイッチ１１と、表示器７の操作画面を切り替える画面切替スイッチ１２が表示されている。
表示器７の例としては、表示が自由に変更できるように、ドットマトリクス式の蛍光表示管や液晶素子等が考えられる。
【００１０】
図３は、浴室リモコン２の工場出荷時の初期操作画面以外の操作画面（下位操作画面）の１例である。
図２の画面切替スイッチ１２を押すと、表示器７には、入浴中に使用頻度の高い入浴中操作画面に切り替わる。具体例としては、浴槽内のお湯の量を多くするたっぷりスイッチ１３、浴槽内のお湯を熱くするふろあつくスイッチ１４、浴槽内のお湯をぬるくするぬるくスイッチ１５が表示される。
このように、画面切替スイッチ１２により、初期操作画面（設定変更画面）と入浴中操作画面からお好みの操作画面を選ぶことができる。
このとき、台所リモコン３の表示器（図示しない）は、工場出荷時の初期操作画面のままである。
【００１１】
図４は、本発明の一実施形態に係わるスイッチ操作による操作画面のフロー図である。
浴室リモコン２の運転スイッチ８を電源投入後一回目（例えば設置直後）に押す（ステップＳ１）と、工場出荷時の初期操作画面である設定変更画面が表示される（ステップＳ２）。
そして、画面切替スイッチ１２を押す（ステップＳ３）と、表示器７が入浴中操作画面に切り替わる（ステップＳ４）。
さらに、画面切替スイッチ１２を押す（ステップＳ５）と、工場出荷時の初期操作画面である設定変更画面へ切り替わる（ステップＳ２）。
ステップＳ５で、画面切替スイッチ１２を押さないと入浴中操作画面が継続し、運転スイッチ８を切り（ステップＳ６）、再度運転スイッチ８を入れる（ステップＳ７）と、入浴中操作画面が表示される（ステップＳ４）。
ステップＳ３で、画面切替スイッチ１２を押さないと、設定変更画面の表示が継続し、運転スイッチ８を切り（ステップＳ８）、再度運転スイッチ８を入れる（ステップＳ９）と、設定変更画面が表示される（ステップＳ２）。
このように、運転スイッチ８を切り入りしても、運転スイッチ８を切る前の操作画面が表示器７に表示されるため、画面切替スイッチ１２による再設定は不要となる。
従って、一度、入浴中操作画面を選択すると、次回以降は、浴室リモコン２の初期操作画面が入浴中操作画面として登録されるので、操作の手間が無くなり、非常に便利である。
【００１２】
図５は、本発明の他の実施形態に係わる操作盤と機器の全体構成図で、給湯機と浴室機器が設置された場合である。ここでは、浴室機器として、浴室暖房衣類乾燥機１６を例にあげて説明する。
給湯機１と、浴室６に設置され、給湯機１と浴室リモコンコード４で接続されている浴室リモコン２と、浴室６以外に設置され、給湯機１とメインリモコンコード５で接続されているメインリモコン３と、浴室６の天井に設置され、浴室リモコン２と浴室暖房衣類乾燥機リモコンコード１７で接続されている浴室暖房衣類乾燥機１６と、浴室６以外に設置され、浴室暖房衣類乾燥機１６と専用リモコンコード２３で接続されている専用リモコン２２とで構成されている。
なお、給湯機１の浴室リモコン２または、メインリモコン３で、浴室暖房衣類乾燥機１６を操作することができる。
【００１３】
図６は、浴室暖房衣類乾燥機１６を接続することにより追加された浴室リモコン２の操作画面の１例である。
図３の画面切替スイッチ１２を押すと、入浴中操作画面の次に、さらに下位操作画面である浴室暖房衣類乾燥機１６の操作画面に切り替わる。具体例としては、暖房を入り切りする暖房スイッチ１８、衣類乾燥を入り切りする衣類乾燥スイッチ１９、換気の入り切りする換気スイッチ２０が表示される。
このように、画面切替スイッチ１２により、設定変更画面と入浴中操作画面と浴室暖房衣類乾燥操作画面の３画面よりにお好みの操作画面を選ぶことができる。
このとき、台所リモコン３の表示器（図示しない）は、工場出荷時の初期操作画面のままである。
その他の浴室機器として、浴槽洗浄装置、浴室床暖房装置、浴槽気泡発生装置などが考えられる。
【００１４】
図７は、本発明の他の実施形態に係わるスイッチ操作による操作画面のフロー図である。
浴室リモコン２の運転スイッチ８を電源投入後一回目（例えば設置直後）に押す（ステップＳ１０）と、工場出荷時の初期操作画面である設定変更画面が表示される（ステップＳ１１）。
そして、画面切替スイッチ１２を押す（ステップＳ１２）と、表示器７が入浴中操作画面に切り替わる（ステップＳ１３）。
さらに、画面切替スイッチ１２を押す（ステップＳ１４）と、浴室暖房衣類乾燥操作画面に切り替わる（ステップＳ１５）。
そして、画面切替スイッチ１２を再度押す（ステップＳ１６）と、工場出荷時の初期操作画面である設定変更画面へ切り替わる（ステップＳ１１）。
ステップＳ１６で、画面切替スイッチ１２を押さないと浴室暖房衣類乾燥操作画面が継続し、運転スイッチ８を切り（ステップＳ１７）、再度運転スイッチ８を入れる（ステップＳ１８）と、浴室暖房衣類乾燥操作画面が表示される（ステップＳ１５）。
ステップＳ１４で、画面切替スイッチ１２を押さないと入浴中操作画面が継続し、運転スイッチ８を切り（ステップＳ１９）、再度運転スイッチ８を入れる（ステップＳ２０）と、入浴中操作画面が表示される（ステップＳ１３）。
ステップＳ１２で、画面切替スイッチ１２を押さないと、設定変更画面の表示が継続し、運転スイッチ８を切り（ステップＳ２１）、再度運転スイッチ８を入れる（ステップＳ２２）と、設定変更画面が表示される（ステップＳ１１）。
従って、一度、画面切替スイッチ１２によりお好みの操作画面を選択すると、次回以降は、浴室リモコン２の初期操作画面が選択された操作画面となるので、操作の手間が無く、非常に便利である。
【００１５】
なお、設定変更画面（ステップＳ１１）から浴室暖房衣類乾燥操作画面（ステップＳ１５）へ切り替えるのに、画面切替スイッチ１２を２回押す例を挙げたが、数秒以上の長押しで、入浴中操作画面（ステップＳ１３）を表示せず、浴室暖房衣類乾燥操作画面を表示することも考えられる。
上記実施例では、手動のスイッチ操作で操作画面を切り替える方法を述べたが、お湯を使用する場面や機器の動作状況において、自動的にその場面や動作状況で使用頻度が高いと想定できる操作画面に切り替える方法も考えられる。
まず、入浴間近な状態または入浴中の状態を検知した場合に、自動的に入浴中に使用頻度が高い入浴中操作画面に切り替える方法について説明する。
【００１６】
図８は、浴室リモコンのスイッチと表示器の一例である。
浴槽に自動的にお湯をはるお湯はりスイッチ２１を備えている。
運転スイッチ８が入りの状態で、お湯はりスイッチ２１を入りの状態にすると、入浴間近な状態と判断して、操作画面を自動的に図３に示した入浴中操作画面へ切り替える。
【００１７】
図９は、お湯はりスイッチ２１の操作による操作画面のフロー図である。
運転スイッチ８が入っている状態（ステップＳ２３）で、お湯はりスイッチ２１を入りの状態（ステップＳ２４）とした場合、操作画面が入浴中操作画面かどうかを判断する（ステップＳ２５）。
操作画面が入浴中操作画面であれば、その操作画面を継続表示する（ステップＳ２６）。
操作画面が入浴中操作画面でなければ、操作画面を入浴中操作画面に切り替える（ステップＳ２７）。
入浴間近な状態または入浴中である状態を判断する手段として、お湯はりスイッチ２１が入りの状態になった場合を例に挙げたが、設定水位までの自動お湯はりが終了した時点や設定水位までお湯張りが行われ、設定温度までの沸かし上げが終了した時点を検知する手段や、浴室に人検知装置を備える手段、浴室の照明が入りになることを検知する光検知装置を備える手段等も考えられる。
次に、浴室機器の専用リモコン２２が操作された場合、浴室リモコン２に浴室機器の操作画面を自動的に表示する方法を、浴室暖房衣類乾燥機１６の暖房スイッチ１８を例にとり説明する。
【００１８】
図１０は、浴室暖房衣類乾燥機１６の専用リモコン２２の一例である。浴室暖房衣類乾燥機１６の運転を入り切りする運転スイッチ２４、暖房を入り切りする暖房スイッチ２５、衣類乾燥を入り切りする衣類乾燥スイッチ２６、換気を入り切りする換気スイッチ２７が備えられている。
【００１９】
図１１は、専用リモコン２２の暖房スイッチ２５の操作による操作画面のフロー図である。
浴室暖房衣類乾燥機１６の専用リモコン２２の運転スイッチ２４が入っている状態（ステップＳ２８）で、浴室暖房衣類乾燥機１６の暖房スイッチ２５が入りの状態（ステップＳ２９）となった場合、操作画面が浴室暖房衣類乾燥操作画面かどうかを判断する（ステップＳ３０）。
操作画面が浴室暖房衣類乾燥操作画面であれば、その操作画面を継続表示する（ステップＳ３１）。
操作画面が浴室暖房衣類乾燥操作画面でなければ、操作画面を浴室暖房衣類乾燥操作画面へ自動的に切り替える（ステップＳ３２）。
入浴前に専用リモコン２２の暖房スイッチ２５を入りの状態にして入浴し、入浴途中で浴室６内が暖まり、暖房機能を切ることが考えられる。その場合、浴室リモコン２の操作画面が浴室暖房衣類乾燥操作画面に自動的に切り替わっているので、操作画面変更を行わなくても、即、浴室リモコン２の暖房スイッチ１８を切りの状態にすることができる。
従って、操作の手間が無く、便利である。
【図面の簡単な説明】
【図１】本発明の一実施形態に係わる操作盤と機器の全体構成図
【図２】浴室リモコンの工場出荷時の初期操作画面の一例
【図３】浴室リモコンの工場出荷時の初期操作画面以外の操作画面（下位操作画面）の一例
【図４】本発明の一実施形態に係わるスイッチ操作による操作画面のフロー図
【図５】本発明の他の実施形態に係わる操作盤と機器の全体構成図
【図６】浴室暖房衣類乾燥機を接続することにより追加された浴室リモコンの操作画面の１例
【図７】本発明の他の実施形態に係わるスイッチ操作による操作画面のフロー図
【図８】浴室リモコンのスイッチと表示器の一例
【図９】お湯はりスイッチの操作による操作画面のフロー図
【図１０】浴室暖房衣類乾燥機の専用リモコンの一例
【図１１】専用リモコンの暖房スイッチの操作による操作画面のフロー図
【符号の説明】
１      給湯機
２      浴室リモコン
３      メインリモコン
４      浴室リモコンコード
５      メインリモコンコード
６      浴室
７      表示器
８      運転スイッチ
９      給湯温度変更スイッチ
１０    ふろ温度変更スイッチ
１１    ふろ水位変更スイッチ
１２    画面切替スイッチ
１３    たっぷりスイッチ
１４    ふろあつくスイッチ
１５    ぬるくスイッチ
１６    浴室暖房衣類乾燥機
１７    浴室暖房衣類乾燥機リモコンコード
１８    暖房スイッチ
１９    衣類乾燥スイッチ
２０    換気スイッチ
２１    お湯はりスイッチ
２２    専用リモコン
２３    専用リモコンコード
２４    専用リモコン・運転スイッチ
２５    専用リモコン・暖房スイッチ
２６    専用リモコン・衣類乾燥スイッチ
２７    専用リモコン・換気スイッチ
【図１】
2004183971.tif 000003
【図２】
2004183971.tif 000004
【図３】
2004183971.tif 000005
【図４】
2004183971.tif 000006
【図５】
2004183971.tif 000007
【図６】
2004183971.tif 000008
【図７】
2004183971.tif 000009
【図８】
2004183971.tif 000010
【図９】
2004183971.tif 000011
【図１０】
2004183971.tif 000012
【図１１】
2004183971.tif 000013